(57)【要約】【課題】調理条件設定用の検知電極の配置スペースを抑えつつ、調理条件をいわゆるワンタッチ操作あるいはスライド操作により簡単に設定できるようにする。【解決手段】検知電極２６Ｄ１〜２６Ｄｎに対するタッチ入力を個別に検出するタッチ入力検出手段３９と、制御回路２７とを備えている。制御回路２７は、いずれか一つの検知電極に対するタッチ入力が検出されると、当該一つの検知電極に対応する調理条件を設定すると共に当該一つの検知電極に応じた調理条件表示パターンを表示し、同時に隣り合う複数の検知電極に対するタッチ入力が検出されると、当該複数の検知電極に対応する調理条件を設定すると共に当該複数の検知電極に応じた調理条件表示パターンを表示する。【選択図】図１
2008057872.tif 000002
【特許請求の範囲】
【請求項１】
上面の開口にトッププレートを備えると共に、このトッププレートの下方に加熱手段を備えた調理器本体と、
前記トッププレートの上面に設けられユーザーの手指の接触位置変更可能な所定領域のタッチ入力部と、
このタッチ入力部に対応して前記トッププレート下面側に、相互に手指による同時タッチ入力が可能な配置間隔で設けられた複数の検知電極と、
前記タッチ入力部に対する手指の接触による該タッチ入力部と各検知電極との間の静電容量の変化により各検知電極に対するタッチ入力を個別に検出するタッチ入力検出手段と、
調理条件を表示する調理条件表示手段と、
前記タッチ入力検出手段によりいずれか一つの検知電極に対するタッチ入力が検出されると、当該一つの検知電極に対応する調理条件を設定し、同時に隣り合う複数の検知電極に対するタッチ入力が検出されると、当該複数の検知電極に対応する調理条件を設定する調理条件設定手段と、
いずれか一つの検知電極に対してタッチ入力が検出された場合には当該一つの検知電極に応じた調理条件表示パターンを前記調理表示条件表示手段に表示させ、同時に隣り合う複数の検知電極に対してタッチ入力が検出された場合には当該複数の検知電極に応じた調理条件表示パターンを前記調理条件表示手段に表示させる調理条件表示制御手段と、
前記調理条件設定手段により設定された調理条件で前記加熱手段を制御する加熱制御手段と
を備えたことを特徴とする加熱調理器。
【請求項２】
トッププレートの前縁部は調理器本体より前方に張出した形態であり、
この張出し部上面にタッチ入力部を設け且つ該張出し部下面側に複数の検知電極を設けたことを特徴とする請求項１記載の加熱調理器。
【請求項３】
タッチ入力部の他に、複数の単一タッチ入力部をトッププレート上面に設けると共に、該単一タッチ入力部に対応して前記トッププレート下面側に複数の単一検知電極を設け、
前記単一タッチ入力部に対する手指の接触による該単一タッチ入力部と各単一検知電極との間の静電容量の変化により各単一検知電極に対するタッチ入力を個別に検出する単一タッチ入力検出手段を設け、
前記単一タッチ入力検出手段によりいずれか一つのみの単一検知電極に対するタッチ入力が検出されると、当該タッチ入力を受け付け、同時に複数の単一検知電極に対するタッチ入力が検出されると、該タッチ入力を受け付けない単一調理条件設定手段を設けたことを特徴とする請求項１記載の加熱調理器。
【請求項４】
調理条件設定手段における、タッチ入力が検出された検知電極が隣り合う複数の検知電極であるときの調理条件は、隣り合う検知電極個々に応じた両調理条件の中間的な調理条件であり、
調理条件表示制御手段における、タッチ入力が検出された検知電極が隣り合う複数の検知電極であるときの調理条件表示パターンは、隣り合う検知電極個々に応じた両調理条件パターンの中間的な調理条件表示パターンであることを特徴とする請求項１記載の加熱調理器。
【請求項５】
複数の検知電極は、配列方向に対して直交する方向で並ぶ部分を有する形状に形成されていることを特徴とする請求項１記載の加熱調理器。
【請求項６】
調理条件表示手段は加熱強度などを表示するものであって、この調理条件表示手段と複数の検知電極とを対応させて配置した構成であることを特徴とする請求項１記載の加熱調理器。
【請求項７】
調理条件設定手段は、タッチ入力が検出された検知電極が、隣り合う所定数の検知電極であるときには、当該所定数の検知電極に対応する調理条件を設定し、前記所定数より多い検知電極であるときには、調理条件を設定しないことを特徴とする請求項１記載の加熱調理器。
【請求項８】
調理条件設定手段は、タッチ入力が検出された検知電極が、隣り合う所定数の検知電極であるときには、当該所定数の検知電極に対応する調理条件を設定し、前記所定数より多い検知電極であるときには、特定調理条件を設定することを特徴とする請求項１記載の加熱調理器。
【発明の詳細な説明】
【技術分野】
【０００１】
本発明は、トッププレート上にタッチ入力部を備えた加熱調理器に関する。
【背景技術】
【０００２】
加熱調理器には、調理器本体の上面の開口にトッププレートを備えると共に、このトッププレートの下方に加熱手段を備えた構成のものがある。そして、上記トッププレート上にタッチ入力部を備えた加熱調理器として、例えば特許文献１、２に示されるものがある。これら特許文献１、２には、一つのタッチ入力部に対して一つの検知電極を備えると共に、一つの接触検知手段を備えた構成である。この構成では、ユーザーの手指が前記タッチ入力部に触れると、検知電極の対人体検知容量（静電容量）が変化し、この変化を接触検知手段で検知することによりユーザーから入力があったことを検知する。
【特許文献１】特開２００３−１２３５４号公報
【特許文献２】特開２００５−３８７３９号公報
【発明の開示】
【発明が解決しようとする課題】
【０００３】
ところで、ユーザーからの入力としては、電源の入り・切りであったり、調理メニューの選択であったり、あるいは加熱強度や加熱温度などの調理条件であったり複数種類がある。
しかし、タッチ入力部及び検知電極を備えたいわゆるタッチスイッチでは、隣り合う検知電極の配置間隔が狭いと、タッチしたタッチ入力部の検知電極の隣の検知電極に微小電流が流れて、入力を誤検知することがある。このため、検知電極の配置スペースを広くとる必要があり、また、誤入力を防止するために複数の検知電極が同時に入力を検知した場合には、その入力を受け付けないようにしている。
【０００４】
ところが、キッチン組み込み型の加熱調理器では、キッチンの開口が規格化されていて、トッププレートの大きさにも制約があり、検知電極の配置スペースを広くとることができない事情にある。従って、加熱強度や加熱温度などの調理条件を設定するための検知電極も、多数設けることは、できないものであった。
【０００５】
このため、例えば加熱強度の設定用として、アップ用の検知電極と、ダウン用の検知電極との二つを設け、検知電極に対するタッチ回数に応じて加熱強度を設定するようにしている。しかし、これでは、ユーザーによる入力操作回数が多くなって入力操作が面倒であるという問題がある。
【０００６】
本発明は上述の事情に鑑みてなされたものであり、その目的は、調理条件設定のための検知電極の配置スペースを抑えつつ、調理条件をいわゆるワンタッチ操作あるいはスライド操作により簡単に設定できる加熱調理器を提供することにある。
【課題を解決するための手段】
【０００７】
本発明は次の点に着目してなされたものである。加熱調理器において、ユーザーの操作によって入力される入力内容の種類をみた場合、前述したように、電源の入り・切りであったり、調理メニューの選択であったり、あるいは加熱強度や加熱温度などの調理条件であったりする。この場合、電源の入り・切りや、調理メニューの選択のための入力は、誤入力があってはならないため、検知電極の配置間隔も十分にとる必要がある。しかし、例えば加熱強度などの調理条件を設定するための検知電極を、レベル数に応じた数の分だけ、配設した場合、例えば同時タッチ操作があったとしても、いずれも加熱強度設定用の検知電極であり、調理条件（加熱強度レベル）が微小変更されるだけであって、入力内容そのものが全く変更されるものではなく、従って、検知電極を狭い配置間隔で配置したとしても設定処理を適宜調整すれば、ワンタッチ操作で調理条件設定が可能となる。
【０００８】
この点に着目した請求項１の発明は、
上面の開口にトッププレートを備えると共に、このトッププレートの下方に加熱手段を備えた調理器本体と、
前記トッププレートの上面に設けられユーザーの手指の接触位置変更可能な所定領域のタッチ入力部と、
このタッチ入力部に対応して前記トッププレート下面側に、相互に手指による同時タッチ入力が可能な配置間隔で設けられた複数の検知電極と、
前記タッチ入力部に対する手指の接触による該タッチ入力部と各検知電極との間の静電容量の変化により各検知電極に対するタッチ入力を個別に検出するタッチ入力検出手段と、
調理条件を表示する調理条件表示手段と、
前記タッチ入力検出手段によりいずれか一つの検知電極に対するタッチ入力が検出されると、当該一つの検知電極に対応する調理条件を設定し、同時に隣り合う複数の検知電極に対するタッチ入力が検出されると、当該複数の検知電極に対応する調理条件を設定する調理条件設定手段と、
いずれか一つの検知電極に対してタッチ入力が検出された場合には当該一つの検知電極に応じた調理条件表示パターンを前記調理表示条件表示手段に表示させ、同時に隣り合う複数の検知電極に対してタッチ入力が検出された場合には当該複数の検知電極に応じた調理条件表示パターンを前記調理条件表示手段に表示させる調理条件表示制御手段と、
前記調理条件設定手段により設定された調理条件で前記加熱手段を制御する加熱制御手段と
を備えたところに特徴を有する。
【０００９】
この請求項１の発明においては、複数の検知電極を、相互に手指による同時タッチ入力が可能な配置間隔でトッププレート下面側に設けたので、検知電極の配置スペースを極力小さくすることができる。そして、調理条件設定手段は、タッチ入力検出手段によりいずれか一つの検知電極に対するタッチ入力が検出されると、該タッチ入力が検出された各検知電極に対応する調理条件を設定するから、各検知電極個々に対応する調理条件をいわゆるワンタッチで設定できる。また、同時に隣り合う複数の検知電極に対するタッチ入力が検出されると、当該複数の検知電極に対応する調理条件を設定するから、同時複数のタッチ入力であっても複数の検知電極に対応する調理条件をワンタッチで設定できる。従って、ユーザーがタッチ入力部のどの位置を手指で接触しても当該接触位置に応じた調理条件をワンタッチ操作あるいはスライド操作で容易に設定できる。
【００１０】
そしてさらに、調理条件表示制御手段は、いずれか一つの検知電極に対してタッチ入力が検出された場合でも、また同時に隣り合う複数の検知電極に対してタッチ入力が検出された場合でも、各検知電極に応じた調理条件表示パターンを調理表示条件表示手段に表示させるから、ユーザーがタッチ入力部のどの位置を手指で接触しても当該接触位置に応じた調理条件を認識することができ、総じて、調理条件設定のための検知電極の配置スペースを抑えつつ、調理条件をいわゆるワンタッチ操作あるいはスライド操作により簡単に設定できる。加熱制御手段は、前記調理条件設定手段により設定された調理条件で加熱手段を制御する。
【発明の効果】
【００１１】
本発明によれば、調理条件設定のための検知電極の配置スペースを抑えつつ、調理条件をいわゆるワンタッチ操作あるいはスライド操作により簡単に設定できるという効果を奏する。
【発明を実施するための最良の形態】
【００１２】
以下、本発明をシステムキッチンに組み込まれる加熱調理器に適用した第１の実施例を図１〜図９を参照しながら説明する。図２には、キッチンキャビネット１に、加熱調理器２が組み込まれた状態の外観斜視図が示されている。また、図４は、トッププレートを外した状態で示す調理器本体３の平面図である。加熱調理器２の調理器本体３は、キャビネット１に設けられた開口４に落とし込み状態に組み込まれている。この調理器本体３の下部には、ロースタ部５が設けられている。
【００１３】
前記調理器本体３は、図４に示すように、上面が開口しており、内部の手前側に加熱手段としての二つの誘導加熱コイル８、９が設けられ、また中央奥部に別の加熱手段として例えばラジエントヒータからなるヒータ１０が設けられている。また、この調理器本体３内には、主回路基板１１が配設されており、この主回路基板１１には、図１及び図５にも示すように、多数の加熱強度表示用の発光ダイオード１２ｄ１〜１２ｄｎが実装されていると共に、例えば蛍光表示管からなる表示器１３が実装され、さらに板ばねからなる複数（後述する検知電極２６Ｄ１〜２６Ｄｎ及び単一検知電極２３Ｄ〜２５Ｄの数と同数）の接続端子１４が立設状態に実装されている。
【００１４】
上記発光ダイオード１２ｄ１〜１２ｄｎは発光案内部材１２ａに収容されていて、図３に示すように矩形状の表示形態となる。この発光ダイオード１２ｄ１〜１２ｄｎの数は後述の検知電極２６Ｄ１〜２６Ｄｎの数と同数としている。
図４及び図５に示すように、前記調理器本体３の開口３ａの周縁部にはフランジ部１５が設けられており、このフランジ部１５が前記キャビネット１の開口４の縁部に配置されている。
【００１５】
さらに、図３ないし図５に示すように、前記調理器本体３の上面には、開口３ａを覆うように、つまり前記誘導加熱コイル８、９及びヒータ１０を上方から覆うように、耐熱ガラス製のトッププレート１６が設けられている。この場合、このトッププレート１６の周縁部１６ａは調理器本体３より外側（前後方向及び左右方向）へ張り出しており、前記フランジ部１５により支えられている。このトッププレート１６において、左右の誘導加熱コイル８、９及びヒータ１０の上方に対応する部位はそれぞれ円形の加熱部１７、１８、１９とされている。表示部１７ａ、１８ａ、１９ａの内部領域が加熱部１７、１８、１９に相当する。
【００１６】
前記トッププレート１６において、加熱部１７、１８の前側には、前記発光ダイオード１２ｄ１〜１２ｄｎからなる調理条件表示手段としての調理条件表示部２０（図３参照）が形成されている。この調理条件表示部２０の上側及び下側に、調理条件である加熱温度及び加熱強度を表示する加熱温度文字表示部２１ａ及び加熱強度表示部２１ｂが印刷形成されている。なお、表示器１３も調理条件表示手段たるものである。
さらに、このトッププレート１６の前縁部（調理器本体３より前方へ張り出した部分）上面には、図３に示すように、前記加熱部１７の前方に位置してタッチ入力部２２、単一タッチ入力部２３ないし２５が設けられている。タッチ入力部２２は調理条件設定用である。
【００１７】
また単一タッチ入力部２３ないし２５は、制御切換用であり、そのうち、単一タッチ入力部２３は調理メニュー設定用、単一タッチ入力部２４は電源オン用、単一タッチ入力部２５は電源オフ用である。タッチ入力部２２は、手指の接触位置を任意に変更できる長さの領域（所定領域）を有する形態に、つまり長尺形態に、トッププレート１６上に印刷膜により形成されている。
【００１８】
また、単一タッチ入力部２３ないし２５も、トッププレート１６上に印刷膜により形成されている。前記加熱モード設定用の単一タッチ入力部２３は、通常加熱、天ぷら、炊飯などの調理に適した加熱モードを設定するためのものである。
【００１９】
前記トッププレート１６の前縁部下面側には、前記タッチ入力部２２に対応して多数（複数）の検知電極２６Ｄ１〜２６Ｄｎが設けられており、この検知電極２６Ｄ１〜２６Ｄｎは、後述する基板３８に導体パターンにより形成されていて、相互に手指による同時タッチ入力が可能な配置間隔で設けられている。なお、この検知電極２６Ｄ１〜２６Ｄｎはトッププレート１６下面側に存在するので、実際に手指が接触することはなく、上記「同時タッチ入力が可能な配置間隔」というのは、トッププレート１６上面のタッチ入力部２２に触れた時に、複数の検知電極が同時にタッチ入力状態となることが可能な配置間隔である。
【００２０】
誘導加熱コイル８に関する概略的な電気的構成を示す図１において、前記タッチ入力部２２及び前記検知電極２６Ｄ１〜２６Ｄｎに関連する構成について説明する。
調理条件設定手段、調理条件表示制御手段及び加熱制御手段である制御回路２７はマイクロコンピュータを含んで構成されている。この制御回路２７には、インバータ制御回路２８が接続されている。前記インバータ制御回路２８は、誘導加熱コイル８に高周波電流を供給するインバータ２９を制御する。
【００２１】
さらに制御回路２７には、タッチ入力検出回路３０が接続されている。このタッチ入力検出回路３０は、発振回路３１と、この発振回路３１から発振出力がそれぞれ与えられる個別検出回路３２ｄ１〜３２ｄｎとを備えて構成されている。個別検出回路３２ｄ１〜３２ｄｎは、それぞれ前記検知電極２６Ｄ１〜２６Ｄｎに対するタッチ入力を検出するための回路であり、基本的に同一構成であるので、個別検出回路３２ｄ１について説明する。この個別検出回路３２ｄ１は、コンデンサ３３と、検知電極２６Ｄ１と、接触検知回路３４とを有して構成されている。前記発振回路３１の発振出力は前記コンデンサ３３、検知電極２６Ｄ１及び前記接続端子１４を介して接触検知回路３４の入力端子に与えられるようになっている。
【００２２】
接触検知回路３４は、ダイオード３５と、抵抗３６とチャージコンデンサ３７とを有した構成である。接触検知回路３４の入力端子であるダイオード３５のアノードは検知電極２６Ｄ１に前記接続端子１４を介して接続され、カソードとアースとの間に前記抵抗３６とチャージコンデンサ３７とが並列に接続され、出力端子であるカソードとチャージコンデンサ３７の接続点が前記制御回路２７に接続されている。
【００２３】
タッチ入力部２２においてこの検知電極２６Ｄ１の真上あるいは若干ずれた位置部分に、人体の手指が接触すると、人体と検知電極２６Ｄ１とが静電容量結合するものである（人体と検知電極２６Ｄ１との間の静電容量が変化して微弱電流が流れる）。これにより、接触検出回路３４の出力電圧３４ｖが変化（低下）し、制御回路２７は、この出力電圧３４ｖが設定値以下になったか否かを判断し、以下となったことをもって接触有りと判定する（接触判定機能）。
【００２４】
従って、前記タッチ入力検出回路３０と制御回路２７における接触判定機能とで、タッチ入力検出手段３９を構成している。
他の個別検出回路３２ｄ２〜３２ｄｎも検知電極２６Ｄ２〜２６Ｄｎに対して該個別検出回路３２ｄ１と同様に構成されている。
【００２５】
ここで、検知電極２６Ｄ１〜２６Ｄｎは、トッププレート１６下面に設けた基板３８（図５及び図７参照）に形成されている。すなわち、検知電極２６Ｄ１〜２６Ｄｎは同じ構成であるので、検知電極２６Ｄ１について述べる。基板３８の上面には、前記検知電極２６Ｄ１が導体パターンにより形成され、基板３８の下面には、図７に示すように、この検知電極２６Ｄ１とスルーホール２６ａを介して導通する接続導体部２６ｂが形成されている。各個別検出回路３２ｄ１〜３２ｄｎの各接触検出回路３４は前記主回路基板１１に実装されており、この主回路基板１１の各接触検出回路３４と前記検知電極２６Ｄ１〜２６Ｄｎの各接続導体部２６ｂとが前記接続導体１４により接続されている。
【００２６】
前記各検知電極２６Ｄ１〜２６Ｄｎは、前記調理条件表示部２０と対応させて設けてあり、各検知電極２６Ｄ１〜２６Ｄｎは、図３に示すように、左側のものから右側へ、順次、調理条件（加熱強度あるいは加熱温度）を大なる方向へ設定するようになっている。
【００２７】
前記単一タッチ入力部２３ないし２５に対応するトッププレート１６下面側には、単一検知電極２３Ｄないし２５Ｄが設けられており、この単一検知電極２３Ｄないし２５Ｄも前記基板３８上面に形成されている。この場合、この単一検知電極２３Ｄないし２５Ｄの配置間隔は、前記検知電極２６Ｄ１〜２６Ｄｎ相互の配置間隔よりも広く設定されて誤検出防止が図られている。これら単一検知電極２３Ｄないし２５Ｄの個別検出回路２３Ａ〜２５Ａは、検知電極２６Ｄ１〜２６Ｄｎの個別検出回路３２ｄ１〜３２ｄｎと同じ回路構成と同じであり、同一部分に同一符号を付して詳細な説明は省略する。この個別検出回路２３Ａ〜２５Ａと制御回路２７の前述した制御回路２７における接触判定機能とで、単一タッチ入力検出手段４０を構成している。
【００２８】
ここで、前記制御回路２７の調理条件設定手段、調理条件表示制御手段及び加熱制御手段について説明する。制御回路２７には、調理条件設定、調理条件表示制御及び加熱制御のためのプログラムを備えており、そのプログラムに従って以下のように動作する。
調理条件としては、加熱温度と、加熱強度とがあり、「天ぷら」が調理メニューとして選択されると、調理条件は加熱温度が設定対象となり、「通常加熱」が調理メニューとして選択されると、調理条件は加熱強度が設定対象となる。
【００２９】
例えば単一タッチ入力部２３に対するタッチ操作（手指の接触操作）により「通常加熱」が選択されると、タッチ入力部２２により加熱強度が設定されることになる。すなわち、ユーザーがタッチ入力部２２の適宜箇所に手指を接触させると、このタッチ入力部２２下方部の検知電極２６Ｄ１〜２６Ｄｎのいずれか、又は隣り合う検知電極が静電結合されて微弱電流が流れ、これにより、各個別検出回路３２ｄ１〜３２ｄｎのいずれかの接触検出回路３４の出力電圧３４ｖが変化し、制御回路２７が、その出力電圧３４ｖを基準値で比較して、検知電極２６Ｄ１〜２６Ｄｎのいずれか又は隣り合う検知電極にユーザーがタッチしたことを検出する。
【００３０】
例えば、図８（ａ）に示すように、手指がタッチ入力部２２のうち左から１番目の検知電極２６Ｄ１のほぼ真上に対応することにより該検知電極２６Ｄ１に対するタッチ入力が検出されると、当該検知電極２６Ｄ１（図９ではタッチ入力該当電極と称している）に対応する加熱強度Ｊ１（調理条件）を設定する。この場合左から１番目の検知電極２６Ｄ１に対応する加熱強度は「最も低い加熱強度」である。そして、当該検知電極２６Ｄ１に応じた調理条件表示パターン（発光ダイオード１２ｄ１のみを表示させるパターン）を前記調理条件表示部２０に表示させる。
【００３１】
そしてユーザーが手指を右方向（矢印Ｓ方向）へスライドさせて、同図（ｂ）に示すように、手指が隣り合う両検知電極２６Ｄ１及び２６Ｄ２のほぼ中間に対応すると、この両検知電極２６Ｄ１及び２６Ｄ２に対する同時タッチ入力がタッチ入力検出回路３０及び制御回路２７により検出される。
【００３２】
すると、制御回路２７は、この場合、当該複数の検知電極２６Ｄ１及び２６Ｄ２に対応する加熱強度Ｊ１（この場合加熱強度の低い方を採用するように予め設定されている）を設定する。つまり、前記図８（ａ）の場合と同様に、「最も低い加熱強度Ｊ１」に加熱強度を設定する。そして、当該検知電極２６Ｄ１及び２６Ｄ２に応じた調理条件表示パターン（加熱強度の低い表示部を表示する表示パターン、つまり発光ダイオード１２ｄ１のみを表示させるパターン）を前記調理条件表示部２０に表示させる。
【００３３】
さらにユーザーが手指をさらに右方向へスライドさせて左から２番目の検知電極２６Ｄ２のほぼ真上に対応させると、該「左から２番目の検知電極２６Ｄ２」に対応する加熱強度（この場合「最も低い加熱強度」より一段大きな加熱強度Ｊ２）を設定する。そして、当該検知電極２６Ｄ２に応じた調理条件表示パターン（加熱強度が一段大きい表示部を表示する表示パターン、つまり発光ダイオード１２ｄ１に加えて１２ｄ２を表示させるパターン）を前記調理条件表示部２０に表示させる。
【００３４】
そしてさらに、図８（ｄ）で示すように、ユーザーが手指をさらに右方向へスライドさせて左から３番目の検知電極２６Ｄ２のほぼ真上に対応させると、該「左から３番目の検知電極２６Ｄ３」に対応する加熱強度（この場合「最も低い加熱強度」より２段階大きな加熱強度Ｊ３）を設定する。そして、当該検知電極２６Ｄ３に応じた調理条件表示パターン（加熱強度が２段階大きい表示部を表示する表示パターン、つまり発光ダイオード１２ｄ１及び１２ｄ２に加えて発光ダイオード１２ｄ３を表示させるパターン）を前記調理条件表示部２０に表示させる。
【００３５】
図９には、タッチ入力が検出された検知電極（図９では「タッチ該当電極」と称していると、調理条件（加熱強度）と、表示パターンとの関係を示している。
ここで、ユーザーが手指をスライドさせずに、最初から、図８（ｂ）、（ｃ）、（ｄ）の位置に接触した場合も、同様の加熱強度設定及び表示制御となる。また、「天ぷら」が選択されると、加熱温度が同様に設定されるものである。上述の加熱強度設定又は加熱温度設定の後、制御手段２７は設定された調理条件で誘導加熱コイル８あるいは９を制御する。
【００３６】
このように、タッチ入力検出回路３０及び制御回路２７により検知電極２６Ｄ１〜２６Ｄｎのいずれか一つの検知電極に対するタッチ入力が検出されると、当該各検知電極に対応して予め定められた調理条件が設定される。この実施例では、当該検知電極の左方からの順位に応じた加熱強度あるいは加熱温度を設定し、同時に隣り合う複数の検知電極に対するタッチ入力が検出されると、当該複数の検知電極に対応して予め定められた調理条件を設定する。この場合、該当する両検知電極のうち順位の低いほうに対応した調理条件を設定する。
【００３７】
また、検知電極２６Ｄ１〜２６Ｄｎのいずれか一つの検知電極に対してタッチ入力が検出された場合には当該一つの検知電極に対応して予め定められた調理条件表示パターンを調理条件表示部２０に表示させ、同時に隣り合う複数の検知電極に対してタッチ入力が検出された場合には当該複数の検知電極に対応して予め定められた調理条件表示パターンを表示パターンを調理条件表示部２０に表示させる。
【００３８】
また、ユーザーが単一タッチ入力部２３に対して、そのほぼ真上から手指を接触させると、単一検知電極２３Ｄに対するタッチ入力が正確に検出され、タッチ入力の回数に応じて、通常加熱、天ぷら、炊飯などの調理に適した加熱モードが選択設定される。他の単一タッチ入力部２４、２５に対しても、そのほぼ真上から手指を接触させると、単一検知電極２４Ｄ、２５Ｄに対するタッチ入力が正確に検出される。
【００３９】
ここで、ユーザーの手指の接触位置によっては、これら単一検知電極２３Ｄ〜２５Ｄの隣り合う単一検知電極が共にタッチ入力を検出することが考えられる。この場合、制御回路２７はこれら単一検知電極２３Ｄ〜２５Ｄからの複数のタッチ入力は受け付けないように動作する。
【００４０】
また、制御回路２７は、前記検知電極２６Ｄ１〜２６Ｄｎのうち所定数例えば２個より多くの検知電極から同時にタッチ入力が検出されると、調理条件を設定しないようになっている。
また、前記検知電極２６Ｄ１〜２６Ｄｎのうち離れた２個以上の検知電極から同時にタッチ入力が検出されたときにも、調理条件を設定しないようになっている。
【００４１】
このような本実施例によれば、複数の検知電極２６Ｄ１〜２６Ｄｎを、タッチ入力部２２に対応し、且つ相互に手指による同時タッチ入力が可能な配置間隔でトッププレート１６下面側に設けたので、検知電極２６Ｄ１〜２６Ｄｎの配置スペースを極力小さくすることができる。そして、制御回路２７における調理条件設定手段は、タッチ入力検出手段３９により検知電極２６Ｄ１〜２６Ｄｎのうちいずれか一つの検知電極に対するタッチ入力が検出されると、当該検知電極に対応する調理条件を設定するから、各検知電極２６Ｄ１〜２６Ｄｎ個々に対応する調理条件をいわゆるワンタッチで設定できる。また、同時に隣り合う複数（二つ）の検知電極に対するタッチ入力が検出されると、当該複数の検知電極に対応する調理条件を設定するから、同時に隣り合う複数のタッチ入力であっても複数の検知電極に対応する調理条件をワンタッチで設定できる。従って、ユーザーがタッチ入力部のどの位置を手指で接触しても当該接触位置に応じた調理条件をワンタッチで設定できる。また、ユーザーが手指をタッチ入力部２２に接触したままスライドさせた場合、その手指は順次、常に一つまたは隣り合う二つの検出電極がタッチ入力状態となるから、スライド操作により調理条件を順次設定できる。
【００４２】
そしてさらに、制御回路２７における調理条件表示制御手段は、いずれか一つの検知電極に対してタッチ入力が検出された場合でも、また同時に隣り合う二つの検知電極に対してタッチ入力が検出された場合でも、各検知電極に対応した調理条件表示パターンを調理条件表示部２０に表示させるから、ユーザーがタッチ入力部２２のどの位置を手指で接触しても当該接触位置に応じた調理条件を認識することができ、総じて、調理条件設定のための検知電極２６Ｄ１〜２６Ｄｎの配置スペースを抑えつつ、調理条件をいわゆるワンタッチ操作あるいはスライド操作により簡単に設定できる。
【００４３】
また、上記実施例によれば、トッププレート１６の張出し部上面にタッチ入力部２２を設け且つ該張出し部下面側に複数の検知電極２６Ｄ１〜２６Ｄｎを設けたから、ユーザーが操作する部分と加熱部１７とを離すことができて、ユーザーが操作時に鍋などの調理器に触れるおそれがなく、安全である。
【００４４】
また、本実施例によれば、タッチ入力部２２の他に、複数の単一タッチ入力部２３〜２５をトッププレート１６上面に設けると共に、該単一タッチ入力部２３〜２５に対応してトッププレート１６下面側に複数の単一検知電極２３Ｄ〜２５Ｄを設け、単一タッチ入力部２３〜２５に対する手指の接触による該単一タッチ入力部２３〜２５と各単一検知電極２３Ｄ〜２５Ｄとの間の静電容量の変化により各単一検知電極２３Ｄ〜２５Ｄに対するタッチ入力を個別に検出する単一タッチ入力検出手段４０を設け、単一タッチ入力検出手段４０によりいずれか単一検知電極２３Ｄ〜２５Ｄに対するタッチ入力が検出されると、当該単一検知電極に対応するタッチ入力を受け付けて、タッチ入力に応じた制御を実行し、複数の単一検知電極に対するタッチ入力が検出されると、当該タッチ入力を受け付けないようにした。これにより、単一検知電極については、二重同時操作防止を確実化でき、誤った制御の実行を確実に防止することができる。
【００４５】
また本実施例によれば、調理条件表示部２０は加熱強度などを表示するものであって、この調理条件表示部２０と複数の検知電極２６Ｄ１〜２６Ｄｎとを対応させて配置した構成としたから、加熱条件の設定が分かりやすく、操作性が良い。
【００４６】
また、本実施例によれば、タッチ入力が検出された検知電極が、隣り合う所定数の検知電極であるときには、当該所定数の検知電極に対応する調理条件を設定し、前記所定数より多い検知電極であるときには、調理条件を設定しないようにしたから、例えば、タッチ入力部２２のある領域が水で濡れているような場合、ユーザーがいずれかのタッチ入力部に触れると、タッチ入力が検出されるべき検知電極以外の検知電極も同時にタッチ入力検出状態となって、いずれが正しいタッチ入力検出であるか不明となる。しかるにこの場合には、所定数を超える同時タッチ入力を受け付けないから、誤った調理条件の設定を防止することができる。
この場合、前記所定数より多い検知電極であるときには、特定調理条件（最も弱い加熱強度や、最も低い加熱温度）を設定するようにしても良い。このようにすると、所定数を超える同時タッチ入力があった場合に安全サイドの設定を行うことが可能となる。
【００４７】
図１０及び図１１は本発明の第２の実施例を示しており、この第２の実施例においては、検知電極２６Ｄ１〜２６Ｄｎの幅寸法を小さくすると共に配置間隔も狭くして、多くて同時に三つの電極に対してタッチ入力を得ることができるようしている。図１１には、タッチ該当電極と、調理条件（加熱強度）と、表示パターンとの関係を示している。
【００４８】
この実施例においては、図１０（ａ）で示すように、二つの隣り合う検知電極２６Ｄ１、２６Ｄ２に対してタッチ入力が発生すると、該当二つの検知電極に対応する調理条件（加熱強度）を設定し、且つ、当該検知電極２６Ｄ１、２６ｄ２に対応する表示部パターン（この場合発光ダイオード１２ｄ１）を調理条件表示部２０に表示する。
【００４９】
次にユーザーの手指が右方向へスライドされて、三つの隣り合う検知電極２６Ｄ１〜２６Ｄ３に対してタッチ入力が発生すると、当該三つの検知電極に対応する加熱強度Ｊ２を設定し、且つ、当該三つの検知電極に対応する表示部パターン（発光ダイオード１２ｄ２、１２ｄ１）を調理条件表示部２０に表示する。
【００５０】
さらにユーザーが手指が右方向へスライドされてゆくと、同様に調理条件の設定及び表示制御が実行される（同図（ｃ）、（ｄ）参照）。
この第２の実施例によれば、少ない接触スライド量で調理条件を変更でき、きめ細かな調理条件設定ができる。
【００５１】
図１２及び図１３は本発明の第３の実施例を示しており、この第３の実施例では、検知電極２６Ｄ１〜２６Ｄｍは、前記第１の実施例における検知電極２６Ｄ１〜２６Ｄｎの個数より少なく、配列方向に対して直交する方向で並ぶ部分を有する形状に形成されている。すなわち、この場合、一番左側の検知電極２６Ｄ１は、その下右角部が右方向へ張り出した形状をなし、一番右側の検知電極２６Ｄｍは、その上左角部が左方向へ張り出した形状をなり、それらの間に位置する検知電極は、その下右角部が右方向へ張り出し、その上左角部が左方向へ張り出した平行四辺形の形状をなしており、隣りあう検知電極において、各張り出した角部部分（符号Ｐ１、Ｐ２で示した部分）が配列方向に対して直交する方向で並ぶ形態である。
【００５２】
また、この検知電極２６Ｄ１〜２６Ｄｍの個数は、発光ダイオード１２ｄ１〜１２ｄｎ二つにつきほぼ１個の割合となっている。
例えば図１２（ａ）に示すように、検知電極２６Ｄ１にタッチ入力が検出されると、当該検知電極２６Ｄ１に対応する調理条件を設定し、且つ当該検知電極２６Ｄ１に対応する表示パターン（発光ダイオード１２ｄ１を表示する表示パターン）を調理条件表示部２０に表示する。
【００５３】
また、図１２（ｃ）で示すように、次の一つの検知電極１２Ｄ２に対してタッチ入力が発生すると、当該検知電極１２Ｄ２に対応する調理条件を設定し、且つ当該検知電極２６Ｄ２に対応する表示パターン（発光ダイオード１２ｄ３、１２ｄ２、１２ｄ１を表示する表示パターン）を調理条件表示部２０に表示する。
【００５４】
また、図１２（ｂ）で示すように、ユーザーが同時に二つの隣り合う検出電極（図では検知電極２６Ｄ１、２６Ｄ２）の前記張出し部分Ｐ２及びＰ１に擬似接触して、当該二つの隣り合う検知電極２６Ｄ１、２６Ｄ２からのタッチ入力が検出されると、調理条件として当該二つの検知電極２６Ｄ１、２６Ｄ２の個々に対応する両調理条件の中間的な調理条件を設定し、表示パターンも、当該二つの検知電極の両表示パターンの中間的な表示パターンとする。つまり、「発光ダイオード１２ｄ１以下」表示パターンと、「発光ダイオード１２ｄ３以下」表示パターンとの中間的な「発光ダイオード１２ｄ２以下」表示パターンとする。
【００５５】
このように第３の実施例によれば、複数の検知電極２６Ｄ１〜２６Ｄｍが、配列方向に対して直交する方向で並ぶ部分を有する形状に形成されているから、隣り合う二つの検知電極に対する同時擬似接触の領域が長くなり、同時タッチ入力を確実に検出することができる。特に、この第３の実施例の図１２と第１の実施例の図８との比較から理解できるように、調理条件の設定段階数（これは表示パターン数で示される）に比して検知電極２６Ｄ１〜２６Ｄｍの個数を少なくでき、電気回路構成の簡単化を図ることができる。
【００５６】
そして、この第３の実施例においては、同時に隣り合う複数の検知電極のタッチ入力検出に応じた調理条件を、隣り合う検知電極個々のタッチ入力検出に応じた両調理条件の中間的な調理条件としているから、検知電極個々のタッチ入力検出に応じて両調理条件を設定する場合に比して、その中間的な調理条件を設定することができ、きめ細かな調理条件の設定を行うことができる。
また、この第３の実施例によれば、同時に隣り合う複数の検知電極に対応した調理条件表示パターンを、隣り合う検知電極個々に応じた両調理条件パターンの中間的な調理条件表示パターンとしたから、細かい調理条件の表示ができ、使い勝手がさらに良くなる。
【００５７】
図１４は本発明の第４の実施例を示しており、この第４の実施例においては、検知電極２６Ｄ１〜２６Ｄｍの形状を変更した点が上記第３の実施例と異なる。この第４の実施例では、各検知電極２６Ｄ１〜２６Ｄｍの部分Ｐ１及びＰ２がほぼ矩形状をなす。この第４の実施例においても第３の実施例と同様の効果を得ることができる。
【００５８】
なお、本発明は上記した各実施例に限定されず、次のように変更して実施することができる。例えば、タッチ入力検出回路３０は適宜変更しても良い。また、このタッチ入力検出回路３０に、制御回路２７における接触判定機能に相当する回路を組み込む構成としても良く、このようにすれば、該タッチ入力検出回路３０自体でタッチ入力検出手段を構成することができる。
【００５９】
また、タッチ入力検出の方式として、電極と人体との間の静電容量変化を検出する方式を例示したが、タッチ入力部に検知電極と対応するように多数のタッチ電極を配設し、手指が触れるタッチ電極と検知電極との間の静電容量変化を検する方式でも良い。また、調理条件表示手段の具体的構成についても前記各実施例に限定されず、例えば発光ダイオードの点灯数でなく７ゼグメントによる数字表示などでも良く、また調理状態（加熱出力状況など）表示を兼用させる構成としても良い。さらに、トッププレート１６の上面に検知電極２６Ｄ１〜２６Ｄｎに対向するように導電ペーストなどを焼き付けるなどして補助電極を設ける構成とし、人体が補助電極に接触した場合の静電容量変化を大きくさせる構成としても良い。
【図面の簡単な説明】
【００６０】
【図１】本発明の第１の実施例を示し、誘導加熱コイルに関する電気的構成のブロック図
【図２】加熱調理器をキッチンキャビネットに組み込んで示す斜視図
【図３】タッチ入力部部分の平面図
【図４】トッププレートを省略して示す平面図
【図５】基板部分の縦断側面図
【図６】タッチ入力部の部分的拡大平面図
【図７】同縦断側面図
【図８】（ａ）〜（ｄ）は、異なる操作状態と、これに関連する表示状態との関係を示す図
【図９】タッチ入力該当電極と、調理条件と、表示パターンの関係を説明するための図
【図１０】本発明の第２の実施例を示す図８相当図
【図１１】図９相当図
【図１２】本発明の第３の実施例を示す図８相当図
【図１３】図９相当図
【図１４】本発明の第４の実施例を示す図１２相当図
【符号の説明】
【００６１】
図面中、１はキッチンキャビネット、２は加熱調理器、３は調理器本体、８、９は誘導加熱コイル（加熱手段）、１０はヒータ（加熱手段）、１１は主回路基板、１２ｄ１ないし１２ｄｎは発光ダイオード、１６はトッププレート、１７、１８、１９は加熱部、２０は調理条件表示部（調理条件表示手段）、２２はタッチ入力部、２３ないし２５は単一タッチ入力部、２３Ａないし２５Ａは個別検出回路、２３Ｄないし２５Ｄは単一検知電極、２６Ｄ１ないし２６Ｄｎ、２６Ｄｍは検知電極、２７は制御回路（調理条件設定手段、調理条件表示制御手段及び加熱制御手段）、３０はタッチ入力検出回路、３２ｄ１ないし３２ｄｎは個別検出回路、３４は接触検知回路、３８は基板、３９はタッチ入力検出手段、４０は単一タッチ入力検出手段を示す。
【図１】
2008057872.tif 000003
【図２】
2008057872.tif 000004
【図３】
2008057872.tif 000005
【図４】
2008057872.tif 000006
【図５】
2008057872.tif 000007
【図６】
2008057872.tif 000008
【図７】
2008057872.tif 000009
【図８】
2008057872.tif 000010
【図９】
2008057872.tif 000011
【図１０】
2008057872.tif 000012
【図１１】
2008057872.tif 000013
【図１２】
2008057872.tif 000014
【図１３】
2008057872.tif 000015
【図１４】
2008057872.tif 000016